(57)【要約】【課題】低コスト省スペースで乾燥時のしわ発生を防止する霧を生成する手段を擁し、かつ、水道水および風呂水を使って乾燥を行う場合に適切な乾燥を行える洗濯乾燥機を提供することを目的とする。【解決手段】乾燥運転時に給水ユニット５０より給水を行う際には、給水を行う前に、送風ユニット２８を動作させることにより、パイプ７０及びミストノズル５４の内圧を上昇させ、かつ、給水経路切替用の第２の切替弁５１をオンとし開状態にする。このことにより、給水ユニットからの給水は内圧の高いミストノズル５４側には流れず、内圧の低いホース５２側へと流すことが出来る。【選択図】図１
2010082200.tif 000002
【特許請求の範囲】
【請求項１】
洗濯物が投入される洗濯兼脱水槽と、
前記洗濯兼脱水槽を収容して洗濯水を溜める外槽と、
前記洗濯物を乾かす乾燥用空気を送る送風手段と、
前記乾燥用空気を加熱する加熱手段と、
前記乾燥用空気に含まれる水分を除湿する除湿手段と、
前記送風手段で発生した風を前記洗濯兼脱水槽内の吹き出し口に導く接続部と、
前記接続部に水を供給することにより、前記送風手段で発生した風により水を霧状として前記外槽内に供給するミスト発生手段と、
風呂水を吸い上げる風呂水ポンプと、を備える洗濯乾燥機であって、
給水部に得られる水道水を洗濯水として、前記外槽に供給する洗濯用水道水供給経路と、
前記風呂水ポンプから供給される風呂水を洗濯水として、ホースを介して前記外槽に供給する洗濯用風呂水供給経路と、
前記給水部に得られる水道水を乾燥時の冷却水として前記除湿手段に供給する冷却用水道水供給経路と、
前記風呂水ポンプから供給される風呂水を乾燥時の冷却水として前記除湿手段に供給する冷却用風呂水供給経路と、
前記給水部に得られる水道水を呼び水として前記ホースを介して前記風呂水ポンプに供給する呼び水供給経路と、
前記冷却用水道水供給経路に設けられ、水道水を前記ミスト発生手段に供給するミスト用水道水供給経路と、をさらに備え、
前記風呂水ポンプから供給される風呂水の経路を、前記洗濯用風呂水給水経路と冷却用風呂水給水経路のいずれかに切り替える切替弁を設け、さらには、前記給水部に得られる水道水を冷却用水道水供給経路とミスト用水道水供給経路に切り替える切替弁を別個に設けたことを特徴とする洗濯乾燥機。
【請求項２】
前記冷却用水道水供給経路とミスト用水道水供給経路に高低差を設けることにより、水道水の経路を構築することを特徴とする請求項１に記載の洗濯乾燥機。
【請求項３】
前記冷却用水道水供給経路とミスト用水道水供給経路に内圧差を設けることにより、水道水の経路を構築することを特徴とする請求項１または請求項２に記載の洗濯乾燥機。
【発明の詳細な説明】
【技術分野】
【０００１】
本発明は、洗濯から乾燥まで通して行える洗濯乾燥機に関し、特に風呂水ポンプから供給される風呂水を洗濯時などに使用可能な洗濯乾燥機に関する。
【背景技術】
【０００２】
近年、洗濯から乾燥までを連続して行う洗濯乾燥機が種々提案されている。この種の洗濯乾燥機には、節水性能（使用水量が少ないこと）や、乾燥の仕上がりがよい（衣類のしわが少ない）ことが求められている。これらの課題に対し、例えば、節水性能を向上させるために風呂水ポンプを使用して風呂水を洗濯に利用したり、また、更なる節水性能を向上させるために乾燥時にもポンプを作動させて風呂水を利用する洗濯乾燥機がある。なお、風呂水ポンプを使用する場合に風呂水ポンプ内に空気が入っていると空回りして風呂水を汲み上げることができないので、風呂水を汲み上げる前に風呂水ポンプ内に水道水を供給する呼び水という動作が必要になる。(特許文献１参照)。また、乾燥の仕上がりを向上させるために、洗濯直後の湿った衣類に高速の風を直接吹き付けることによりしわを防止したり、また、乾燥した衣類については、霧状の水を洗濯槽内の衣類に吹きかけて、一度湿らせてから高速の風を吹きつけることによりしわを伸ばして仕上げる方法がある。
【特許文献１】特開２００２−３５４９２号公報
【発明の開示】
【発明が解決しようとする課題】
【０００３】
ところで、前記霧の発生手段としては、専用の霧発生装置や霧生成専用の給水電磁弁を設けて発生する手段があるが、高コストおよび高スペースが必要となってしまう。その一方でより低コストで省スペースかつ特別な部品構成もなく容易に霧を生成させる手段として、例えば乾燥時に使用する冷却水のような流量の低いものの配管を分岐させて利用し、その水に高速の風を吹きつけることによる生成方法がある。
このようなタイプの洗濯乾燥機では、乾燥時には除湿のため冷却水を使用する必要がある。また、風呂の残り湯を使って乾燥のみを行いたいという場合には、乾燥時に呼び水を行う必要があり、乾燥中に風呂水ポンプを動作する必要がある。
【０００４】
しかし、乾燥時に冷却水の給水や呼び水、風呂水ポンプの動作を行ってしまうと、その流量の一部が洗濯兼脱水槽に入ってしまい洗濯物を濡らしてしまうという問題がある。
【０００５】
本発明は、前記問題を解決するものであり、低コスト省スペースで乾燥時のしわ発生を防止する霧を生成する手段を擁し、かつ、水道水および風呂水を使って乾燥を行う場合に適切な乾燥を行える洗濯乾燥機を提供することを目的とする。
【課題を解決するための手段】
【０００６】
洗濯物が投入される洗濯兼脱水槽と、前記洗濯兼脱水槽を収容して洗濯水を溜める外槽と、前記洗濯物を乾かす乾燥用空気を送る送風手段と、前記乾燥用空気を加熱する加熱手段と、前記乾燥用空気に含まれる水分を除湿する除湿手段と、前記送風手段で発生した風を前記洗濯兼脱水槽内の吹き出し口に導く接続部と、前記接続部に水を供給することにより、前記送風手段で発生した風により水を霧状として前記外槽内に供給するミスト発生手段と、風呂水を吸い上げる風呂水ポンプと、を備える洗濯乾燥機において、前記給水部に得られる水道水を洗濯水として、前記外槽に供給する洗濯用水道水供給経路と、前記風呂水ポンプから供給される風呂水を洗濯水として、ホースを介して前記外槽に供給する洗濯用風呂水供給経路と、前記給水部に得られる水道水を乾燥時の冷却水として前記除湿手段に供給する冷却用水道水供給経路と、前記風呂水ポンプから供給される風呂水を乾燥時の冷却水として前記除湿手段に供給する冷却用風呂水供給経路と、前記給水部に得られる水道水を呼び水として前記ホースを介して前記風呂水ポンプに供給する呼び水供給経路と、前記冷却用水道水供給経路に設けられ、水道水を前記ミスト発生手段に供給するミスト用水道水供給経路と、をさらに備え、前記風呂水ポンプから供給される風呂水の経路を、前記洗濯用風呂水給水経路と冷却用風呂水給水経路のいずれかに切り替える切替弁を設け、さらには、水道水を冷却用水道水供給経路とミスト用水道水供給経路に切り替える切替弁を別個に設けたことを特徴とする。
【０００７】
本発明によれば、水道水を冷却用水道水供給経路とミスト用水道水供給経路に切り替える切替弁を別個に設けたので、それぞれの用途に応じて適切に配管を切替えることが出来るので、乾燥運転時に水道水や風呂水を使用した際に、水道水や風呂水がホースを介して洗濯兼脱水槽内に注入されて洗濯物が濡れるようなことがない。
【発明の効果】
【０００８】
本発明によれば、低コスト省スペースで乾燥時のしわ発生を防止する霧を生成する手段を擁し、かつ、水道水および風呂水を使って乾燥を行う場合に適切な乾燥を行うことができる。
【発明を実施するための最良の形態】
【０００９】
以下、本発明の一実施の形態の例について、図面を用いて説明する。まず、本発明の一実施の形態について説明する前に、本発明を適用する前提構成となる洗濯乾燥機の構成について、図１５〜図２１を参照して説明する。
【００１０】
図１５はドラム式洗濯乾燥機の外観図である。図１６は内部の構造を示すために筐体の一部を切断して示した斜視図、図１７は内部の構造を示すために背面カバーを取り外した背面図、図１８は内部の構造を示す側面図、図１９は内部の構造を示すために筐体の一部を切断して示した平面図である。
【００１１】
図１５以降に示した構成について説明すると、１は、ドラム式洗濯乾燥機の筐体である。筐体１は、ベース１ｈの上に取り付けられており、左右の側板１ａ，１ｂ，前面カバー１ｃ，背面カバー１ｄ，上面カバー１ｅ，下部前面カバー１ｆで構成されている。左右の側板１ａ，１ｂは、コの字型の上補強材（図示せず），前補強材（図示せず）、後補強材（図示せず）で結合されており、ベース１を含めて箱状の筐体１を形成し、筐体として十分な強度を有している。
９は、前面カバー１ｃの略中央に設けた衣類を出し入れするための投入口を塞ぐドアで、前補強材に設けたヒンジで開閉可能に支持されている。ドア開放ボタン９ｄを押すことでロック機構（図示せず）が外れてドアが開き、ドアを前面カバー１ｃに押し付けることでロックされて閉じる。前補強材は、後述する外槽の開口部と同心に、衣類を出し入れするための円形の開口部を有している。
【００１２】
６は、筐体１の上部中央に設けた操作パネルで、電源スイッチ３９，操作スイッチ１２，１３，表示器１４を備える。操作パネル６は、筐体１下部に設けた制御装置３８に電気的に接続している。
３は、回転可能に支持された円筒状の洗濯兼脱水槽（回転ドラム）であり、その外周壁および底壁に通水および通風のための多数の貫通孔を有し、前側端面に衣類を出し入れするための開口部３ａを設けてある。開口部３ａの外側には洗濯兼脱水槽３と一体の流体バランサ３ｃを備えている。外周壁の内側には軸方向に延びるリフタ３ｂが複数個設けてあり、洗濯，乾燥時に洗濯兼脱水槽３を回転すると、衣類はリフタ３ｂと遠心力で外周壁に沿って持ち上がり、重力で落下するように動きを繰り返す。洗濯兼脱水槽３の回転中心軸は、水平または開口部３ａ側が高くなるように傾斜している。
【００１３】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３と結合している。前面の開口部には外槽カバー２ｄを設け、外槽内への貯水を可能としている。外槽カバー２ｄの前側中央には、衣類を出し入れするための開口部２ｃを有している。本開口部２ｃと前補強材３７に設けた開口部は、ゴム製のベローズ１０で接続しており、ドア９を閉じることで外槽２を水封する。外槽２底面最下部には、排水口２ｂが設けてあり、排水ホース２６が接続している。排水ホース２６の途中には排水弁（図示せず）が設けてあり、排水弁を閉じて給水することで外槽２に水を溜め、排水弁を開いて外槽２内の水を機外へ排出する。
【００１４】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向へ倒れを防ぐ。
１９は、筐体１内の上部左側に設けた洗剤容器で、前部開口から引き出し式の洗剤トレイ７を装着する。洗剤類を入れる場合は、洗剤トレイ７を図１５の二点鎖線で示すように引き出す。洗剤容器１９は、筐体１の上補強材に固定されている。
【００１５】
洗剤容器１９の後ろ側には、給水電磁弁１６や風呂水給水ポンプ１７，水位センサ（図示せず）など給水に関連する部品を設けてある。上面カバー１ｅには、水道栓からの給水ホース接続口１６ａ，風呂の残り湯の吸水ホース接続口１７ａが設けてある。洗剤容器１９は、外槽２に接続されており、給水電磁弁１６を開く、あるいは風呂水給水ポンプ１７を運転することで、外槽２に洗濯水を供給する。
【００１６】
２９は筐体１の背面内側に縦方向に設置した乾燥ダクトで、ダクト下部は外槽２の背面下方に設けた吸気口２ａにゴム製の蛇腹管Ｂ２９ａで接続される。乾燥ダクト２９内には、水冷除湿機構（図示せず）を内蔵しており、給水電磁弁１６から水冷除湿機構へ冷却水を供給する。冷却水は乾燥ダクト２９の壁面を伝わって流下し吸気口２ａから外槽２に入り排水口２ｂから排出される。
【００１７】
乾燥ダクト２９の上部は、筐体１内の上部右側に前後方向に設置したフィルタダクト２７に接続している。フィルタダクト２７の前面には開口部を有しており、この開口部に引き出し式の乾燥フィルタ８を挿入してある。乾燥ダクト２９からフィルタダクト２７へ入った空気は、乾燥フィルタ８のメッシュフィルタ８ａに流入し糸くずが除去される。乾燥フィルタ８の掃除は、乾燥フィルタ８を引き出してメッシュ式のフィルタ８ａを取り出して行う。また、フィルタダクト２７の乾燥フィルタ９挿入部の下面には開口部が設けてあり、この開口部は吸気ダクト３３が接続しており、吸気ダクト３３の他端は送風ユニット２８の吸気口と接続している。
【００１８】
送風ユニット２８は、駆動用のモータ２８ａ、ファン羽根車（図示せず）、ファンケース２８ｂで構成されている。ファンケース２８ｂにはヒータ３１が内蔵されており、ファン羽根車から送られる空気を加熱する。送風ユニット２８の吐出口は温風ダクト３０に接続する。温風ダクト３０は、図２０に示すように、ゴム製の蛇腹管３０ａ，蛇腹管継ぎ手３０ｂを介して、外槽カバー２ｄに設けた温風吹き出し口３２に接続している。本実施の形態の例では、送風ユニット２８が筐体１内の上部右側に設けてあるので、温風吹き出し口３２は外槽カバー２ｄの右斜め上の位置に設け、温風吹き出し口３２までの距離を極力短くするようにしてある。
排水口２ｂ、送風ユニット２８の吸気口及び吐出口には温度センサ（図示せず）が設けてある。
【００１９】
この図１５から図１９に示した構成の洗濯乾燥機は、乾燥時に、高速の風を衣類に直接当て、風の力で衣類に発生するしわを伸ばすことが可能な構成としてある。このためには、高速の風を発生する送風ユニット２８とこの風を直接衣類に当てる温風吹き出し口３２が必要となる。送風ユニットに必要な性能に関しては、後述する。温風吹き出し口３２の詳細を図２０，図２１を用いて説明する。図２０は温風吹き出し口２８設置部の外槽カバー２ｄの正面図、図２１は図２０の二点鎖線Ａ−Ａで切断して示した温風吹き出し口３２の断面図である。
【００２０】
温風吹き出し口３２は、図２０に示すように、外槽カバー２ｄの前側から開口部２ｃに沿って設けてあり、内部に流路３２ｂ、３２ｃが形成されている。温風吹き出し口３２の入口には蛇腹管継ぎ手３０ｂが取り付けてあり、流路３２ｃの出口にはノズル３２ｄが形成されている。洗濯兼脱水槽３と外槽カバー２ｄとのすき間に衣類が入り込まないよう、外槽カバー２ｄの開口部２ｃの内径と洗濯兼脱水槽３の開口部３ａの内径は、ほぼ同一に設定されている。このため、温風吹き出し口３２の出口部３２ａを開口部２ｃの内周面より内側に飛び出すように形成し、ノズル３２ｄが洗濯兼脱水槽３内に向かって開口するようにしてある。このようにすることで、ノズル３２ｄから出た温風は直接洗濯兼脱水槽３内の衣類に当たる。
【００２１】
ここで、出口部３２ａの飛び出し量が多すぎると、洗濯や乾燥時に衣類の動きを阻害するため、図２１に示すようにノズルを扁平のスリット形状として飛び出し量を小さくし、かつ開口部２ｃと出口部３２ａの表面形状がスムーズ変化するようにしてある。また、流路３２ｂと流路３２ｃは無駄な突起や、急激な流れ方向の変化が無いようにし、かつノズル３２ｄに向かい流路面積が徐々に小さくなるようにしてある。こうすることで、高速の風が流路３２ｂ，３２ｃを流れるときに発生する圧力損失や流体音を小さくすることが出来る。
【００２２】
乾燥運転時の風の流れは次のようになる。送風ユニット２８を運転し、ヒータ３１に通電すると、ノズル３２ｄから洗濯兼脱水槽３内に高速の温風が吹き込み（矢印４１：図１６，図１８，図１９）、湿った衣類に当たり、衣類を温め衣類から水分が蒸発する。高温多湿となった空気は、洗濯兼脱水槽３に設けた貫通孔から外槽２に流れ、吸気口２ａから乾燥ダクト２９に吸い込まれ、乾燥ダクト２９を下から上へ流れる（矢印４２：図１６〜図１９）。乾燥ダクト２９の壁面には、水冷除湿機構からの冷却水が流れ落ちており、高温多湿の空気は冷却水と接触することで冷却除湿され、乾いた低温空気となりフィルタダクト２７へ入る（矢印４３：図１６〜図１９）。フィルタダクト２７に設けたメッシュフィルタ８ａを通り糸屑が取り除かれ、吸気ダクト３３に入り、送風ユニット２８に吸い込まれる（矢印４４：図１６）。そして、ヒータ３１で再度加熱され、洗濯兼脱水槽３内に吹き込むように循環する。この間、洗濯兼脱水槽３を低速で正逆回転させ、衣類をノズル３２ｄの近くまで持ち上げ、高速の温風が衣類に直接当たるようにする。
【００２３】
本実施の形態においては、この図１５から図２１に示した構成のドラム式洗濯乾燥機を、さらに改良したものである。
以下、本実施の形態のドラム式洗濯乾燥機について、図１から図１４を参照して説明する。この図１から図１４において、図１５から図２１に示した部分と同一部分には同一符号を付す。
【００２４】
図１は、本実施の形態のドラム式洗濯乾燥機の内部を上面から示した図である。即ち、図１５に示したドラム式洗濯乾燥機の筐体１を外して、上面から見た図である。
【００２５】
本実施の形態のドラム式洗濯乾燥機は、上述した図１５から図２１で説明したドラム式洗濯乾燥機と同様に、乾燥運転時に、送風ユニット２８を運転して、洗濯兼脱水槽３内に高速の温風が吹き込ませるものである。そして本実施の形態においては、この乾燥運転時において、所定のモード（スチームアイロンコース）を設定する操作があると、乾燥運転開始時の所定期間、霧状の水分を高速の温風に混ぜて供給できる構成としたものである。洗濯兼脱水槽３内に高速の温風が吹き込ませる構成の詳細については、既に図１５から図２１で説明した構成と同一である。
【００２６】
図１は、本実施の形態のドラム式洗濯乾燥機の内部を上面から示した図である。即ち、図１１に示したドラム式洗濯乾燥機の筐体１を外して、上面から見た図である。
この図１に示すように、乾燥運転時に使用する送風ユニット２８が配置してあり、その送風ユニット２８からの送風を洗濯兼脱水槽３内に送り込むファンパイプの屈曲部７０に、給水電磁弁６２からの水を、ミストツギテ５３、ミストホース５５および、ミストノズル５４を介して供給する構成としてある。送風ユニット２８内（又はその近傍）には、ヒータ（図示せず）が配置してあり、送風ユニット２８で発生した風を高温に暖めることができる構成としてある。
【００２７】
図２から図４は、温風ダクト３０の屈曲部７０の構成を示した図である。既に図２０に示したように、送風ユニット２８で発生した高速かつ高温の風は、温風ダクト３０に導かれて、図２０及び図２１に示すように、ゴム製の蛇腹管３０ａ及び蛇腹管継ぎ手３０ｂを介して、洗濯兼脱水槽３内に供給される。
ここで、本実施の形態においては、図２及び図３に示すように、蛇腹管３０ａの先端に、温風ダクト３０の屈曲部７０を取り付け、送風ユニット２８側から水平方向に温風ダクト３０を送られてきた温風Ｗを、下側に屈曲させて、下方の蛇腹管３０ａ及び蛇腹管継ぎ手３０ｂに送る構成とする。従って屈曲部７０の屈曲内壁７１には、送風ユニット２８からの温風Ｗが当たる。屈曲部７０は、例えば合成樹脂で成形させた部品とする。
【００２８】
そして、その屈曲部７０を構成する部品に、ミストノズル５４を取り付け、ミストツギテ５３、ミストホース５５を介して給水電磁弁６２からの水を、屈曲部７０内に供給する。
図４に屈曲部７０を断面で示すように、ミストノズル５４は、先端部５４ａが屈曲部７０を構成するパイプの屈曲内壁７１の近傍の中央付近まで伸びており、その先端部５４ａから給水される。
【００２９】
屈曲部７０を構成するパイプには、既に説明したように、高速かつ高温の風が送風ユニット２８から供給されている。従って、ミストノズル５４の先端部５４ａからのパイプ内に供給された水は、その高速の風で微粒化されて拡散し、霧（ミスト）状となって、風とともに外槽２及び洗濯兼脱水槽３内に供給される。
なお、送風ユニット２８から屈曲部７０、蛇腹管３０ａ、蛇腹管継ぎ手３０ｂを介して洗濯兼脱水槽３に送られる風としては、例えば、風速が５０ｍ／ｓ以上の高速の風とする。
【００３０】
図５、図６は、給水ユニット５０の構成例を示した図である。
給水ユニット５０は、給水電磁弁６２を備えて、水道栓６１から供給される水の供給の制御が行われる。給水電磁弁６２は水の吐出口が4箇所ａ〜ｄに分かれており、それぞれの用途に応じて給水されるように制御が行われる。また、給水電磁弁６２より供給が制御される水は、第１の切替弁６５や第２の切替弁５１などでの切替え処理で、洗濯乾燥機として必要な各部に供給される。また、ミストツギテ５３と第２の切替弁５１の間には高低差を設けており、ミストツギテ５３よりも第２の切替弁５１の方が設置位置を低くしている。このことにより、水は位置の高い方から低い方へと流れやすいため、第２の切替弁５１を開としたときに水が第２の切替弁５１側の方に流れやすいように流路を構築してある。
【００３１】
図７に示すように、第１の切替弁６５及び第２の切替弁５１は、共に次に示す構造となっている。接続部４１０，４２０を有し、この接続部４１０と接続部４２０とを連通および遮断させる弁体４０３を有している。弁体４０３はプランジャ４０４に固定され、このプランジャ４０４を進退可能に駆動させる駆動部４０５を有している。駆動部４０５は、固定鉄心４０５ａ、ヨーク４０５ｂ、銅線が巻回されたボビン４０５ｃなどで構成されている。また、切替弁４００には、プランジャ４０４を閉弁方向に付勢するスプリング４０６、駆動部４０５側に流体が浸入するのを防止するダイヤフラム４０７が設けられている。この初期状態をオフ状態とし、駆動部４０５を動作させプランジャ４０４を固定鉄心４０５ａ側に稼動させたときの状態をオン状態とする。
【００３２】
次に、本実施形態における洗濯乾燥機の動作について図８の工程図と図９から図１４の水道水又は風呂水の流れを示す図を参照して説明する。
図８は本実施形態の洗濯乾燥機における運転コースの一例を示す作動工程図であり、（ａ）は洗濯から乾燥までを風呂水を使用して連続して行う洗濯乾燥運転、（ｂ）は乾燥のみを風呂水を使用して行う乾燥運転、（ｃ）は洗濯から乾燥までを水道水を使用して連続して行う洗濯乾燥運転、（ｄ）は乾燥のみを水道水（冷却水）を使用して行う乾燥運転を示す。
また、図９は本実施形態の洗濯乾燥コース運転時の呼水および洗濯工程時における水道水の流れを示す概略図である。
図１０は本実施形態の乾燥のみのコース運転時の呼水時における水道水の流れを示す概略図である。
図１１は本実施形態の洗濯工程時における風呂水の流れを示す概略図である。
図１２は本実施形態の乾燥工程時における水道水の流れを示す概略図である。
図１３は本実施形態の乾燥工程時における風呂水の流れを示す概略図である。
図１４はスチームアイロンコース運転時の水道水の流れを示す概略図である。
【００３３】
図８（ａ）に示すように、風呂水使用の洗濯乾燥運転では、まず、まず呼び水工程Ｓ１００を行う。その際においては、給水電磁弁６２ｂを開く前に予め第１の切替弁６５と第２の切替弁５１をオンとし開いておき、その後に給水電磁弁６２ｂを開く。これにより図９に示すように水道水が給水電磁弁６２ｂより吐出され、洗剤トレイ６６を介して外槽２内に給水される一方、第１の切替弁６５を介して風呂水ポンプ６４内に給水され、風呂水ポンプ６４内に水を溜めていく。風呂水ポンプ６４内の空気を、冷却ツギテ６３、ミストツギテ５３、第２の切替弁５１、乾燥ダクト２９内を経由して大気中に逃がし、風呂水ポンプ６４内が水道水で満たされるに伴い、給水電磁弁６２ｂを閉じて呼び水の給水を終了する。また、この際において、給水電磁弁６２ｂから給水された水道水の一部が第１の切替弁６５、風呂水ポンプ６４、冷却ツギテ６３、ミストツギテ５３、ミストノズル５４を経由して洗濯兼脱水槽３内に浸入するが、槽内の水を溜める動作となるため、問題はない。
【００３４】
次に、給水工程Ｓ２０１を行う。その際においては、呼び水工程Ｓ１００においてオンとした第１の切替弁６５と第２の切替弁５１を継続してオンとしたまま、風呂水ポンプ６４の駆動を開始し、高回転数、例えば７０００ＲＰＭで動作させる。風呂水ポンプ６４により汲み上げられた風呂水は図１１に示すように、第１の切替弁６５、洗剤トレイ６６を経由して外槽２内へと給水される。一方、それと同時に、冷却ツギテ６３、ミストツギテ５３、ミストノズル５４、第２の切替弁５１、乾燥ダクト２９を経由して洗濯兼脱水槽３内に給水される。次の、給水Ｓ２０５、給水Ｓ２０９についても給水工程Ｓ２０１と同様の動作をし、給水を行う。そして、最終脱水工程Ｓ２１２にて洗濯物に含まれる水分を脱水したのちに、乾燥工程Ｓ３００へと進む。
【００３５】
乾燥工程Ｓ３００においては、風呂水ポンプ６４駆動前に第２の切替弁５１を予めオンとし開いておく。また、送風ユニット駆動用モータ２８ａも予め高回転数、例えば９０００回転にて駆動させておき、ミストノズル５４部を高圧とし、水の流れを高圧部から低圧部へと流れるようにしておく。このことにより、風呂水ポンプ６４からの水が冷却ツギテ６３、ミストツギテ５３を経由して、ミストノズル５４側に流入しないようになる。以上の動作を実施後に風呂水ポンプ６４の駆動を開始し、低回転数、例えば５０００ＲＰＭにて動作させる。風呂水ポンプ６４により汲み上げられた風呂水は図１３に示すように、冷却ツギテ６３、ミストツギテ５３、第２の切替弁５１、を経由して乾燥ダクト２９内に流入し、乾燥用空気と接触することにより乾燥用空気内水分が除去される。
【００３６】
次の終了工程Ｓ４００においては、ミストノズル５４から洗濯兼脱水槽３内への水の流入を防止かつ、該配管内への水の残留を防止するために、風呂水ポンプ６４の動作を停止した後に送風ユニット駆動用モータ２８ａの動作を停止させ、その後に第２の切替弁５１を停止とする。
【００３７】
本実施の形態の例では送風ユニット駆動用モータ２８ａの回転数を高回転数で駆動させて高圧部と低圧部をつくることにより、水の流れを整流したが、例えばミストツギテ５３とミストノズル５４の間にもう一つ別個の第３の切替弁を設けることによって、スチームアイロンコース運転時には第３の切替弁をオンとして開にし、乾燥運転時には第３の切替弁をオフとして、閉とすることによっても水の流れを整流することはできるが、部品追加による高コスト化、スペース増の面から考えると、あまり好ましくない。
また、今回送風ユニット駆動用モータ２８ａの回転数を９０００ＲＰＭとしたが、例えば風呂水ポンプ６４の駆動回転数をより高速回転とした場合には、風呂水ポンプ６４および該配管の内圧が上昇するため、それに応じた送風ユニット駆動用モータ２８ａの回転数を調整し、高圧部内圧の調整が必要となる。
【００３８】
図８（ｂ）に示すように、風呂水を使用して乾燥のみを行う乾燥運転では、風呂水ポンプ６４の駆動前に呼び水工程Ｓ１００が行われる。乾燥のみ風呂水設定時の呼び水工程においては、電磁給水弁６２ｂを開く前に予め第１の切替弁６５と第２の切替弁５１をオンとして開いておき、また、送風ユニット駆動用モータ２８ａも予め高回転数、例えば９０００ＲＰＭにて駆動させておき、ミストノズル５４部を高圧とし、水の流れを高圧部から低圧部へと流れるようにしておく。この状態において、電磁給水弁６２ｂを開く。これにより、図１０に示すように水道水が給水電磁弁６２ｂより吐出され、洗剤トレイ６６を介して外槽２内に給水される一方、第１の切替弁６５を介して風呂水ポンプ６４内に給水され、風呂水ポンプ６４内に水を溜めていく。風呂水ポンプ６４内の空気を、冷却ツギテ６３、ミストツギテ５３、第２の切替弁５１、乾燥ダクト２９内を経由して大気中に逃がし、風呂水ポンプ６４内が水道水で満たされるに伴い、給水電磁弁６２ｂを閉じて呼び水の給水を終了する。
【００３９】
呼び水運転終了後、乾燥工程Ｓ３００に進み、前述と同様に、風呂水ポンプの駆動前には、第２の切替弁５１を予めオンとし開いておき、また、送風ユニット駆動用モータ２８ａも予め高回転数にて駆動させ、ミストノズル５４部を高圧として、水の流れを高圧部から低圧部へと流れるようにしておいてから、風呂水ポンプ６４を駆動させる。
【００４０】
次の終了工程Ｓ４００においても、前述と同様に、風呂水ポンプ６４の動作を停止した後に送風ユニット駆動用モータ２８ａの動作を停止させ、その後に第２の切替弁５１を停止とする。
【００４１】
図８（ｃ）に示すように、風呂水使用の洗濯乾燥運転では、給水工程Ｓ２０１を行う。その際においては、前述の洗濯工程時の呼び水動作と同様に、給水電磁弁６２ｂを開く前に予め第１の切替弁６５と第２の切替弁５１をオンとし開いておき、その後に給水電磁弁６２ｂを開く。これにより図９に示すように水道水が給水電磁弁６２ｂより吐出され、洗剤トレイ６６を介して外槽２内に給水される一方、第１の切替弁６５を介して風呂水ポンプ６４内に給水され、同時に、風呂水ポンプ６４、冷却ツギテ６３、ミストツギテ５３、第２の切替弁５１、乾燥ダクト２９内を経由して洗濯兼脱水槽３に給水される。規定水位まで給水後に給水電磁弁６２ｂを閉じて給水を終了する。また、この際において、給水電磁弁６２ｂから給水された水道水の一部が第１の切替弁６５、風呂水ポンプ６４、冷却ツギテ６３、ミストツギテ５３、ミストノズル５４を経由して洗濯兼脱水槽３内に浸入するが、槽内の水を溜める動作となるため、問題はない。次の、給水Ｓ２０５、給水Ｓ２０９についても給水工程Ｓ２０１と同様の動作をし、給水を行う。そして、最終脱水工程Ｓ２１２にて洗濯物に含まれる水分を脱水したのちに、乾燥工程Ｓ３００へと進む。
【００４２】
乾燥工程Ｓ３００においては、給水電磁弁６２ｄを開にする前に第２の切替弁５１を予めオンとし開いておく。また、送風ユニット駆動用モータ２８ａも予め高回転数、例えば９０００回転にて駆動させておき、ミストノズル５４部を高圧とし、水の流れを高圧部から低圧部へと流れるようにしておく。このことにより、給水電磁弁６２ｄからの水が冷却ツギテ６３、ミストツギテ５３を経由して、ミストノズル５４側に流入しないようになる。以上の動作を実施後に給水電磁弁６２ｄを開とする。給水電磁弁６２ｄより吐出された水道水は図１２に示すように、冷却ツギテ６３、ミストツギテ５３、第２の切替弁５１、を経由して乾燥ダクト２９内に流入し、乾燥用空気と接触することにより乾燥用空気内水分が除去される。
【００４３】
次の終了工程Ｓ４００においては、ミストノズル５４から洗濯兼脱水槽３内への水の流入を防止かつ、該配管内への水の残留を防止するために、給水電磁弁６２ｄの動作を停止した後に送風ユニット駆動用モータ２８ａの動作を停止させ、その後に第２の切替弁５１を停止とする。
【００４４】
図８（ｄ）に示すように水道水を使用して乾燥のみを行う乾燥運転においては、前述同様に乾燥工程Ｓ３００を行い、図１２に示すように給水電磁弁より吐出された水道水は、冷却ツギテ６３、ミストツギテ５３、第２の切替弁５１を経由して、乾燥ダクト２９内に流れ、乾燥ダクト２９内にて乾燥用空気と接触して乾燥用空気内水分の除去を行う。
【００４５】
次の終了工程Ｓ４００においては、ミストノズル５４から洗濯兼脱水槽３内への水の流入を防止かつ、該配管内への水の残留を防止するために、給水電磁弁６２ｂの動作を停止した後に送風ユニット駆動用モータ２８ａの動作を停止させ、その後に第２の切替弁５１を停止とする。
【００４６】
以上説明したように本実施の形態の構成によると、乾燥時のしわ発生を防止する霧を生成する手段を低コスト及び省スペースで構成できるとともに、乾燥運転時に水道水と風呂水を効率よく切替える構成としたことで、この点からも低コスト及び省スペースに貢献する。
具体的には、乾燥運転時に給水ユニット５０より給水を行う際には、給水を行う前に、送風ユニット２８を動作させることにより、パイプ７０及びミストノズル５４の内圧を上昇させ、かつ、給水経路切替用の第２の切替弁５１をオンとし開状態にすることで、給水ユニットからの給水は内圧の高いミストノズル５４側には流れず、内圧の低いホース５２側へと流すことが出来、洗濯時に風呂水と水道水を供給する構成をそのまま利用して、乾燥時に風呂水の供給を適正に制御できる。
また、ミストツギテ５３と第２の切替弁５１の間には高低差を設けており、ミストツギテ５３よりも第２の切替弁５１の方が設置位置を低くしているため、第２の切替弁５１を開としたときに水が第２の切替弁５１側の方に流れやすいように流路を構築してあり、この点からも水道水の供給と風呂水の供給を適正に制御できる。
【図面の簡単な説明】
【００４７】
【図１】本発明の一実施の形態のドラム式洗濯乾燥機の内部例を示す上面図である。
【図２】本発明の一実施の形態のドラム式洗濯乾燥機のパイプへの給水機構を背面側から示す斜視図である。
【図３】本発明の一実施の形態のドラム式洗濯乾燥機のパイプへの給水機構を正面側から示す斜視図である。
【図４】本発明の一実施の形態のドラム式洗濯乾燥機のパイプへの給水機構を示す断面図である。
【図５】本発明の一実施の形態のドラム式洗濯乾燥機の給水構成を示す斜視図である。
【図６】本発明の一実施の形態のドラム式洗濯乾燥機の給水構成を示す斜視図である。
【図７】第１の切替弁６５および第２の切替弁５１の構成図である。
【図８】本実施形態の洗濯乾燥機の水道水または風呂水を使用した運転コースの一例を示す作動工程図であり、（ａ）は風呂水を使用して洗濯から乾燥までを連続して行う洗濯乾燥運転、（ｂ）は風呂水を使用して乾燥のみを行う乾燥運転、（ｃ）は水道水を使用して洗濯から乾燥までを連続して行う洗濯乾燥運転、（ｄ）は水道水を使用して乾燥のみを行う乾燥運転である。
【図９】洗濯乾燥運転コース設定の場合の呼水時および洗濯工程時の水道水の流れを示す概略図である。
【図１０】乾燥のみ運転コース設定の場合の呼水時の水道水の流れを示す概略図である。
【図１１】洗濯工程時における風呂水の流れを示す概略図である。
【図１２】乾燥工程時における風呂水の流れを示す概略図である。
【図１３】乾燥工程時における水道水の流れを示す概略図である。
【図１４】スチームアイロンコース運転時における水道水の流れを示す概略図である。
【図１５】本発明の前提となる構成のドラム式洗濯乾燥機を示す外観図である。
【図１６】図１５例のドラム式洗濯機の筐体の一部を切断して内部構造を示す斜視図である。
【図１７】図１５例のドラム式洗濯機の背面カバーを外して内部構造を示す背面図である。
【図１８】図１５例のドラム式洗濯機の内部構造を示す側面図である
【図１９】図１５例のドラム式洗濯機の筐体の上部を切断して内部構造を示す上面図である。
【図２０】図１５例のドラム式洗濯機の温風吹き出し口を設けた外槽カバーの正面図である。
【図２１】図２０における温風吹き出し口のＡ−Ａ断面図である。
【符号の説明】
【００４８】
１…筐体、２…外槽、２ｄ…外槽カバー、３…洗濯兼脱水槽、４，２８ａ…モータ、６…操作パネル、８…乾燥フィルタ、９…ドア、１６…給水電磁弁、２７…フィルタダクト、２８…送風ユニット、２８ｂ…ファンケース、２９…乾燥ダクト、３１…ヒータ、３２…温風吹出し口、３２ｄ…ノズル、３３…吸気ダクト、３８…制御装置、５０…給水ユニット、５１…第２の切替弁、５２…冷却水供給パイプ、５３…ミスト継ぎ手、５４…ミストノズル、５５・・・ミストホース、６１…水道栓、６２…給水電磁弁、６３…冷却継ぎ手、６４…風呂水給水ポンプ、６５…第１の切替弁、６６…洗剤トレイ、６８…排水弁
【図１】
2010082200.tif 000003
【図２】
2010082200.tif 000004
【図３】
2010082200.tif 000005
【図４】
2010082200.tif 000006
【図５】
2010082200.tif 000007
【図６】
2010082200.tif 000008
【図７】
2010082200.tif 000009
【図８】
2010082200.tif 000010
【図９】
2010082200.tif 000011
【図１０】
2010082200.tif 000012
【図１１】
2010082200.tif 000013
【図１２】
2010082200.tif 000014
【図１３】
2010082200.tif 000015
【図１４】
2010082200.tif 000016
【図１５】
2010082200.tif 000017
【図１６】
2010082200.tif 000018
【図１７】
2010082200.tif 000019
【図１８】
2010082200.tif 000020
【図１９】
2010082200.tif 000021
【図２０】
2010082200.tif 000022
【図２１】
2010082200.tif 000023